(57)【要約】【課題】各種骨組部材の縁部に簡単に取り付けて、管体やケーブル等の固定具等を取り付けることのできるクリップ（固定具）の提供を図る。【解決手段】金属製の板バネ素材からなる板状体の両端側を下方に折曲して両脚部12、12を形成し、正面視略コ字形状の本体部とする。両脚部の先端側はその根元部側よりも巾狭に形成する。両脚部のそれぞれには、内側方向に突出する押圧部13、13を２個設ける。これらの押圧部がアングル材、Ｈ型鋼材等の骨組部材の縁部を押圧することにより、両脚部がその縁部を挟持してかかる骨組部材に本体部が取り付けられる。本体部の両脚部12、12及び両脚部を接続する中間接続部15のそれぞれに螺子穴を設け、これら螺子穴に管体、ケーブル等の固定具等を取り付けることができる。【選択図】図１
2006275181.tif 000002
【特許請求の範囲】
【請求項１】
金属製板バネ素材からなる板状体の両端側を下方に折曲して両脚部(12, 12)を形成し、正面視略コ字形状の本体部とし、
両脚部(12, 12)のそれぞれには、内側方向に突出する押圧部(13)を少なくとも２個設け、これらの両脚部(12, 12)の押圧部(13, 13, 13, 13)がアングル材、チャンネル材、Ｈ型鋼材、或いはフラットバー等の骨組部材(20)の縁部(20t) を押圧することにより、両脚部(12, 12)がその縁部(20t) を挟持してかかる骨組部材(20)に本体部が取り付けられることができ、
本体部の両脚部(12, 12)又は両脚部を接続する中間接続部(15)の少なくとも何れか１つに螺子穴(16, 17)又は貫通孔等の取付部を設け、この取付部に管体、ケーブル等の固定具等を取り付けることができる管体、ケーブル等の固定具等の取付用クリップ。
【請求項２】
請求項１において、両脚部(12, 12)の先端部側を根元部側よりも巾狭に形成したことを特徴とする管体、ケーブル等の固定具等の取付用クリップ。
【発明の詳細な説明】
【技術分野】
【０００１】
本発明は、建築構築物の骨組、橋梁の骨組、或いはクレーン等の腕木の骨組等を構成するアングル材、チャンネル材、H型鋼材、或いはフラットバー等の骨組部材の縁部にワンタッチで取り付けられる金属製板バネ素材からなるクリップ（固定具）に関し、かかるクリップには、管体やケーブル、或いはレール、蛍光灯などの固定具や、吊りボルト等を取り付けることができるものである。
【背景技術】
【０００２】
従来のこの種の管体やケーブル等の固定具等を取り付けるための取付金具としては、図５の斜視図に示したものがある。かかる取付金具５０は、正面視略Ｕ字形状の本体部５１を有し、本体部５１の両側縁部の全体には内側方向に略直角に起立する起立部５２、５２が設けられ、下方に位置する起立部５２，５２には鋸歯状の凸部５２ｔ、５２ｔが形成され、本体部５１の上面には上方から下方に向かって螺入することのできる固定用螺子５３が設けられている。
更に、この取付金具５０の本体部５１の下面部及び側面部には貫通孔５５、５６が設けられており、これらの貫通孔５５、５６には、各種のケーブルや管体等を固定することのできる種々の固定具を取り付けることができる。
【０００３】
図６は、この取付金具５０の使用状態を示す正面説明図であり、その（Ａ）が取付金具５０の下面部に設けられた貫通孔５５に電線管等の管体６１を固定する管体固定具６０が取り付けられた状態を示し、その（Ｂ）が取付金具５０の側面部に設けられた貫通孔５６に前記管体固定具６０を取り付けた状態を示している。
６５は、アングル材を示し、このアングル材６５の水平面部６６を取付金具５０の固定用螺子５３の先端と本体部５１の下方に位置する起立部５２とが挟持するように、固定用螺子５３の締め付けにより、取付金具５０がアングル材６５の水平面部６６に固定される。
【０００４】
管体固定具６０は、対称形の２つの構成部材６０ｋ，６０ｋからなり、図６（Ａ）においては、上方先端の湾曲係合部６２、６２を本体部５１の下面部の貫通孔５５に引っ掛けるように係合させ、両構成部材６０ｋ、６０ｋの下方部を開いた状態で管体６１をその間に配置させて、その後両構成部材６０ｋ、６０ｋの下方部を閉じて、下方延長部６０ｅ、６０ｅを固定ネジ６４によって締め付け、管体６１を固定することができる。
同様に、図６（Ｂ）においては、管体固定具６０を取付金具５０の側面部に設けられた貫通孔５６に取り付けたものである。
【発明の開示】
【発明が解決しようとする課題】
【０００５】
上記従来の取付金具においては、固定用螺子５３の締め付けによって各種の骨組部材等に取り付け固定されるのであるが、螺子の締め付けによるためにワンタッチで取り付けることができず、高所での螺着作業に手間を要していた。
また、取り付け固定のために固定用螺子を使用するため、この固定用螺子は、取付金具の一側面部を使用するために、その固定用螺子が設けられた面には、管体やケーブル等の各種の固定具を取り付けることができない。
【０００６】
そこで、本発明においては、先ず、この取付金具をワンタッチで、例えばハンマー等の簡単な打撃によって各種の骨組部材等に取り付けることができるものを提供することをその課題とする。
また、取付金具の側面のすべてにおいて、管体やケーブル等の固定具等を取り付けることのできるものを提供すること。具体的には、３方向のすべての側面部の何れかに各種の固定具等を取り付けることができるようにすることをその課題とする。
【課題を解決するための手段】
【０００７】
上記の課題を解決するために、本発明の第１のものは、金属製板バネ素材からなる板状体の両端側を下方に折曲して両脚部(12)(12)を形成し、正面視略コ字形状の本体部とし、両脚部(12, 12)のそれぞれには、内側方向に突出する押圧部(13)を少なくとも２個設け、これらの両脚部(12, 12)の押圧部(13,13,13,13)がアングル材、チャンネル材、Ｈ型鋼材、或いはフラットバー等の骨組部材(20)の縁部(20t) を押圧することにより、両脚部(12, 12)がその縁部(20t) を挟持してかかる骨組部材(20)に本体部が取り付けられることができ、本体部の両脚部(12, 12)又は両脚部を接続する中間接続部(15)の少なくとも何れか１つに螺子穴(16, 17)又は貫通孔等の取付部を設け、この取付部に管体、ケーブル等の固定具等を取り付けることができる管体、ケーブル等の固定具等の取付用クリップである。
【０００８】
本発明の第２のものは、上記第１の発明において、両脚部(12, 12)の先端部側を根元部側よりも巾狭に形成したことを特徴とする管体、ケーブル等の固定具等の取付用クリップである。
【発明の効果】
【０００９】
本発明の第１のものにおいては、両脚部が各種の骨組部材等の縁部を挟持し、両脚部に設けられた押圧部がその縁部を押圧し、例えばハンマー等によって両脚部を接続する中間接続部を脚部方向に打撃することによって簡単にワンタッチで取り付けられる。しかも片側２箇所で、それ故両脚部において少なくとも４点で押圧挟持されるために取り付け後にがたつくこともなく、確実に取り付けられる。
【００１０】
本発明の第２のものにおいては、両脚部の先端部側が根元部側よりも巾狭に形成されており、板バネ素材を使用している関係上、先端部側の弾性力が根元部側の弾性力よりもやや弱くなるために、骨組部材の縁部に取り付ける際に、取り付けやすいという効果がある。換言すると、両脚部の先端部側が開きやすく、根元部側が開きにくくなっており、取り付けやすい反面、根元部側で強固に骨組部材の縁部を挟持することが可能となるのである。
【発明を実施するための最良の形態】
【００１１】
以下、添付の図面と共に本発明の実施形態について説明する。  
図１は、本発明の実施形態に係るクリップの全体斜視図であり、図２は、その側面図であり、図３は、その正面図である。
このクリップ１０は、金属製の板バネ素材からなる板状体の両端側を略９０度折曲して、図１及び図３から判る通り、正面視略コ字形状に形成する。従って、クリップ１０の両端部側には脚部１２、１２が位置し、両脚部１２、１２は中間接続部１５によって接続される。
中間接続部と両脚部との成す角度は、略９０度であるが、クリップを取り付けた後は両脚部の間隔が少し広がって、確実に被固定部材を挟持できるために、９０度以下の鋭角に形成しておくことが好ましい。
【００１２】
両脚部１２，１２のそれぞれには、内側方向に突出する押圧部１３、１３を２箇所ずつ形成する。この実施形態では、これら押圧部１３同士は、それぞれ対向する位置関係にあり、対称位置に存在している。
また、両脚部１２、１２に設けられている押圧部１３は、それぞれ正面視略Ｖ字形状に形成されているが、これが略Ｕ字形状、或いは略コ字形状に形成されたものであってもよい。要は、挟持される骨組部材の縁部を押圧できる形状を有していればよい。
【００１３】
両脚部１２、１２のそれぞれの押圧部１３、１３間の略中央部と、中間接続部１５の略中央部のそれぞれには、螺子穴１６，１７を形成する。これらの螺子穴１６、１７に管体やケーブル等の固定具を螺着して、固定することができる。これらの螺子穴が各種の固定具を取り付けるための取付部となる。この取付部としては、上記の螺子穴でなく、単なる貫通孔から形成されたものであってもよい。
この螺子穴１６、１７は、図示はしていないが、固定用螺子との螺合をより強固にするために、バーリング加工を施し、螺子穴のネジ山をより長く形成する（螺子穴の深さ方向に長く形成する）ことがより好ましい。
【００１４】
更に、図２から判る通り、それぞれの脚部１２は、その先端部側１２ｓがその根元部側１２ｎよりも巾（図２においては上下の巾）が狭く形成され、上下対称にテーパー状に先細に（巾狭に）形成されている。これにより先端部側の弾性力が根元部側の弾性力よりも若干弱くなり、骨組部材の縁部に取り付ける際に、先端部分が容易に開くこととなり、取り付けが容易となる。
この実施形態では、両脚部を上下対称にテーパー状に形成しているが、形状は上下対称でなくともよく、先端部側が巾狭に形成されていればよい。
【００１５】
また、図３から判る通り、クリップの１０の中間接続部１５が外側（図３において右側）に膨出するように湾曲して形成されている。このように湾曲に形成したのは、クリップ１０を骨組部材２０の縁部２０ｔに取り付ける際、縁部２０ｔの板厚により根元部側の押圧部１３ｎの間隔が広がった場合に、先端部側の押圧部１３ｓ間の間隔が大きく開き過ぎることを防止するためである。換言すると、根元部側の押圧部１３ｎ、１３ｎの間隔が多少大きく広がっても、中間接続部１５が湾曲に形成されているために、この湾曲部が直線状に伸びることにより、先端側の押圧部１３ｓ、１３ｓの間隔が開き過ぎてしまうことが防止されるのである。
【００１６】
両脚部１２、１２の長さ、及び中間接続部１５の長さは、取り付けるべき骨組部材の縁部の厚みを考慮して適宜決定する。また、対向する押圧部１３の間隔も、取り付けるべき骨組部材の縁部の板厚を考慮して適宜決定することができる。更には、取り付けるべき各種の骨組部材の縁部板厚を考慮して、対向する押圧部の間隔及び中間接続部の長さの種々のものを作成し、その縁部板厚の各種のものに対応できるようにすることが望ましい。
【００１７】
図４は、本発明の実施形態に係るクリップをアングル材に取り付け、電線管を固定具により取り付けた状態の正面図である。
アングル材２０の縁部２０ｔに、クリップ１０を例えばハンマー等によって、中間接続部１５を矢印方向Ｄに打撃を加えて、取り付ける。両脚部１２の押圧部１３が縁部２０ｔを押圧し、クリップ１０は、確実にアングル材２０の縁部２０ｔに固定される。クリップ１０は、アングル材２０の縁部２０ｔに適宜一定間隔を開けて複数並べて取り付けることとなる。
【００１８】
電線管６１の固定具は、ベース部材７１とサドル部材７２とからなる従来のものであり、クリップ１０をアングル材２０の縁部２０ｔに取り付けた後、下方の脚部１２の螺子穴１６に固定ネジ３０により固定具のベース部材７１を螺着する。次にサドル部材７２によって電線管６１を抱持するようにして、そのサドル部材７２の両端部をベース部材に螺着して、電線管６１を固定具に固定することができる。
以上のようにして、本発明に係るクリップを用いて、電線管等を固定することができるものである。
【００１９】
以上、一実施形態について説明したが、本発明に係るクリップにおいては、このクリップに固定されるものは、特に限定されず、上記のような電線管であってもよく、或いは、ケーブル、レール、蛍光灯等各種のものを固定することが可能である。
このような管体やケーブル等を固定するための固定具にも各種のものがあり、固定用螺子によって取り付けるものや、上記従来例の管体固定具のような湾曲係合部の係合によるものなど各種のものが存在する。この後者の固定具をクリップに取り付ける場合には、両脚部や中間接続部に形成される螺子穴は、単なる貫通孔であればよい。従って、取付部としては、螺子穴や貫通孔以外のものであってもよく、要は各種固定具を取り付けることのできる構造であれば、どのような形式のものであってもよい。
各種固定具を取り付ける取付部となる螺子穴や貫通孔等は、両脚部又は中間接続部のいずれか１箇所に設けられていればよい。しかし、クリップの各種骨組部材への取り付け向きを考慮すれば、その取付部は、両脚部及び中間接続部の全てに設けておくことが好ましい。これにより、それら取付部のいずれかを選択して自由に使用することが出来るからである。
【００２０】
クリップの全体形状及び大きさは、全く自由に設計することができるが、弾力性のある板バネ素材からなる板状体の両端側を略直角に折り曲げ、正面視略コ字形状に形成すればよい。
押圧部も両脚部のそれぞれに２個ずつ設けたが、それぞれ３個以上形成したものであってもよく、最低それぞれに２個あればよい。またその形状も自由に設計することができる。
また、押圧部は、両脚部においてそれぞれ対向する位置に設けることが望ましいが、正確に対向位置（対称位置）にある必要はなく、多少ずれた位置関係にあっても効果の点では同様である。
両脚部と中間接続部に設けられた取付部の位置も、それぞれの部分の略中央位置に設けたが、その位置はそれぞれ適宜自由に選択することができる。
【００２１】
図３において、中間接続部１５から根元部側の押圧部１３ｎ、１３ｎまでの脚部の長さｄをより長く形成し、この部分に取付部を設けることも可能である。
側面視（図２において）両脚部の根本側から先端側に向かってその巾が徐々に狭くなるように形成しているが、その狭くなる度合いも適宜自由に設計することができる。また、その巾を徐々に狭くするのではなく、階段状に段階的に先端側を巾狭に形成することも可能である。
最後に、本発明に係るクリップは、建築構築物、橋梁、又はクレーン等の腕木、テント骨組等の各種の骨組を構成するアングル材、チャンネル材、H型鋼材、或いはフラットバー等の各種の骨組部材の縁部にワンタッチで取り付けることが出来るものである。
【図面の簡単な説明】
【００２２】
【図１】本発明の実施形態に係るクリップの全体斜視図である。
【図２】本発明の実施形態に係るクリップの側面図である。
【図３】本発明の実施形態に係るクリップの正面図である。
【図４】本発明の実施形態に係るクリップをアングル材に取り付け、電線管を固定具によって取り付けた状態の正面図である。
【図５】従来の取付金具の斜視図である。
【図６】従来の取付金具の使用状態を示す正面説明図であって、その（Ａ）が取付金具の下面部に管体固定具を取り付けた状態を示し、その（Ｂ）が取付金具の側面部に管体固定具を取り付けた状態を示す。
【符号の説明】
【００２３】
１０  クリップ
１２  脚部
１３、１３ｓ、１３ｎ  押圧部
１５  中間接続部
１６、１７  螺子穴（取付部）
【図１】
2006275181.tif 000003
【図２】
2006275181.tif 000004
【図３】
2006275181.tif 000005
【図４】
2006275181.tif 000006
【図５】
2006275181.tif 000007
【図６】
2006275181.tif 000008